(57)【要約】      （修正有）【課題】特別な工事をすることなく、ＭＲ室に入室しようとする物体を検知した場合に注意を喚起することが可能なマット装置を提供する。【解決手段】マット装置１は、マット本体１０と、マット本体に物体が乗ったことを検知する圧力センサーと、圧力センサーによる検知を契機に、音を出力する音出力装置２０と、を備える。【選択図】図１
0003216667.tif 000002
【実用新案登録請求の範囲】
【請求項１】
ＭＲ（Magnetic Resonance）室の出入口に敷設されるマット装置であって、
マット本体と、
前記マット本体に物体が乗ったことを検知する物体検知部と、
前記物体検知部による前記検知を契機に、注意を喚起する音を出力する音出力部と
を備えたことを特徴とするマット装置。
【請求項２】
前記音出力部は、録音媒体を収容する録音媒体収容部を備えており、
前記録音媒体収容部に収容された録音媒体に記録された音データに基づいて音を出力することを特徴とする請求項１に記載のマット装置。
【請求項３】
前記音出力部は、電池を収容する電池収容部を備えており、
前記電池収容部に収容された電池から供給される電力により音を出力することを特徴とする請求項１又は２に記載のマット装置。
【請求項４】
前記マット本体の表面には、前記ＭＲ室に入室するにあたっての注意事項が表示されていることを特徴とする請求項１から３の何れか１項に記載のマット装置。
【請求項５】
前記音出力部は、前記マット本体に乗った物体がＭＲ室の方向に移動したことが検知された場合にのみ、音を出力することを特徴とする請求項１から４の何れか１項に記載の１項に記載のマット装置。
【考案の詳細な説明】
【技術分野】
【０００１】
本考案は、部屋の出入口に敷設されるマット装置に関し、特にＭＲ（Magnetic Resonance）室の出入口に敷設されるマット装置に関する。
【背景技術】
【０００２】
ＭＲＩ（Magnetic Resonance Imaging：磁気共鳴イメージング）は、強力な静磁場中に置かれた生体組織の原子核スピンを高周波信号で励起し、この励起に伴って発生するＭＲ信号に基づいて生体組織の断面画像を生成する技術である。この技術を用いて被検者の組織断面の画像を生成するＭＲＩ装置が、多くの医療機関に設置され利用されている。
【０００３】
ＭＲＩ装置の本体には、被検者に対して強力な静磁場を印加するための超電導コイルが設けられている、当該超伝導コイルからは、被検者の検査時に磁場を印加している時のみならず、検査が行われていない時にも静磁場が発生している。
【０００４】
したがって、ＭＲＩ装置が設置されているＭＲ室内に、鉄、ニッケル、コバルト等の強磁性体が含まれるもの（例えば、クリップ、ライター、ヘアピン、鍵、時計、酸素ボンベ、掃除機等）が持ち込まれた場合、これらのものは静磁場を発生しているＭＲＩ装置に吸着されることとなる。
磁性体がＭＲＩ装置に吸着された場合には、当該磁性体をＭＲＩ装置から剥がすのに手間がかかるとともに、ＭＲＩ装置の性能が低下する可能性がある。また、掃除機等の大型の物が吸着された場合には、ＭＲＩ装置が破壊される可能性がある。また、時計等の精密機器が吸着された場合には、精密機器が壊れる可能性がある。
【０００５】
このような吸着によるトラブルを防ぐために、例えば特許文献１には、ＭＲＩ撮影室に対して医療用器具の搬入／搬出が可能な前室の開閉扉の近傍に磁場発生部及び磁場検出部を設け、この磁場発生部によって形成される磁性体検知領域の磁場変化を磁場検出部によって検出することにより磁性体検知領域に進入する医療用器具が磁性体器具か否かを判定し、医療用器具が磁性体器具の場合に警告を発生し、開閉扉を閉鎖するシステムが開示されている。
【先行技術文献】
【特許文献】
【０００６】
【特許文献１】特開２００８−１７９８９号公報
【考案の概要】
【考案が解決しようとする課題】
【０００７】
しかしながら、特許文献１に記載のシステムのような大掛かりなシステムを構築するにはかなりのコストがかかる。また、病院内でＭＲＩ装置を設置する部屋を変更する場合には、再度大掛かりな工事が必要となる。
【０００８】
本考案は、特別な工事をすることなく、ＭＲ室に入室しようとする物体を検知した場合に注意を喚起することが可能なマット装置を提供することを課題とする。
【課題を解決するための手段】
【０００９】
本考案のマット装置は、
ＭＲ（Magnetic Resonance）室の出入口に敷設されるマット装置であって、
マット本体と、
前記マット本体に物体が乗ったことを検知する物体検知部と、
前記物体検知部による前記検知を契機に、注意を喚起する音を出力する音出力部と
を備えたことを特徴とする。
【００１０】
この特徴によれば、特別な工事をすることなく、人、物等の物体がＭＲ室に入室しようとしている場合に注意を喚起することが可能となる。
【００１１】
上記マット装置において、
前記音出力部は、録音媒体を収容する録音媒体収容部を備えており、
前記録音媒体収容部に収容された録音媒体に記録された音データに基づいて音を出力することを特徴とする。
【００１２】
この特徴によれば、録音媒体収容部に収容する記録媒体や、当該記録媒体に記録される音データを変更することで、状況に合わせて、アナウンス、警報等の音を出力することができる。
【００１３】
上記マット装置において、
前記音出力部は、電池を収容する電池収容部を備えており、
前記電池収容部に収容された電池から供給される電力により音を出力することを特徴とする。
【００１４】
この特徴によれば、音を出力するための電力を供給する電源を電池としたため、外部から電力を供給するためのコンセントやケーブルをマット装置に設ける必要がなくなる。また、コンセントの差込口がない場所であっても、マット装置を手軽に敷設することができる。
【００１５】
上記マット装置において、
前記マット本体の表面には、前記ＭＲ室に入室するにあたっての注意事項が表示されていることを特徴とする。
【００１６】
この特徴によれば、ＭＲ室に入室しようとする人に対して、音のみならず、視覚的にも注意を喚起することができる。
【００１７】
上記マット装置において、
前記音出力部は、前記マット本体に乗った物体がＭＲ室の方向に移動したことが検知された場合にのみ、音を出力することを特徴とする。
【００１８】
この特徴によれば、ＭＲ室に入室しようとしている物体がある場合にのみ、音で注意を喚起することができる。
【図面の簡単な説明】
【００１９】
【図１】本考案の実施形態に係るマット装置の平面図である。
【図２】同実施形態に係るマット装置の配置例を示す図である。
【図３】マット本体の模式的断面図である。
【考案を実施するための形態】
【００２０】
以下、本考案の実施形態を図面を参照して詳細に説明する。
図１は、本考案の実施形態に係るマット装置１の平面図である。本実施形態に係るマット装置１は、平板状のマット本体１０と、当該マット本体１０の縁部に取り付けられた音出力装置（「音出力部」に対応）２０と、を備えている。当該マット装置１は、図２に示すように、病院等に設置されたＭＲ室の出入口３２、３４に敷設するためのものである。
【００２１】
図２に示すように、本実施形態では、ＭＲ室への出入口は、前室からの出入口３２と、ＭＲＩ装置の操作室からの出入口３４と、の２つが存在しており、これらの２つの出入口３２、３４にマット装置１が敷設されている。マット装置１を敷く位置は、ＭＲ室の外側であって、出入口３２、３４に設けられた開閉扉の前方が好ましい。
【００２２】
当該マット本体１０は、図１に示すように、平面視略矩形形状を有している。マット本体１０の幅（長辺）はＭＲ室の出入口３２、３４の幅と同程度に形成されている。
なお、マット本体１０の平面視形状は矩形に限定されることはなく、例えば楕円形状であっても菱形形状であってもよい。
【００２３】
図３は、マット本体１０の模式的断面図である。マット本体１０の厚さは約６ｍｍである。マット本体１０は、平板状の表シート１０ａと裏シート１０ｂとが重畳され、一体として形成されている。
【００２４】
裏シート１０ｂはゴムで形成されている。
表シート１０ａは、ターボリンシート１０ａ１の表面側が塩化ビニル１０ａ２で被覆され、裏面側がゴム１０ａ３で被覆された、積層構造のシートである。表シート１０ａの表面側を塩化ビニル１０ａ２で被覆することにより、防水性が高まり、また、ペンキ等で文字や図形等を描くことができる。
マット本体１０の表面（表シート１０ａの表面）には、ＭＲ室に入室するにあたっての注意事項が表示されている。本実施形態では、図１に示すように「入室の際は携帯品に注意！」と表示されている。なお、表示する注意事項はこれに限定されることはなく、例えば「磁性体の持込禁止」、「入室注意！」等、任意の注意事項を表示することができる。
【００２５】
表シート１０ａと裏シート１０ｂとの間には、圧力センサー（「物体検知部」に対応）１０ｃが等間隔に複数配置されている。
圧力センサー１０ｃは、マット本体１０上に物体が乗ることにより、マット本体１０に圧力がかかったことを検知し、当該圧力センサー１０ｃの識別番号及び検出信号を音出力装置２０に出力する。
なお、当該圧力センサー１０ｃは、外部から電力の供給を受けずに圧力を検出できるものが好ましい。例えば、圧力センサー１０ｃとして、誘電体シートとステンレスの積層体の上下面に、複数の硬質ポリ塩化ビニルスペーサがそれぞれ設けられ、さらにその上下面に一対のコンデンサ電極が設けられているものを用いるとよい。当該圧力センサー１０ｃに圧力がかかるとコンデンサ電極間が縮むため、コンデンサ電極に加わる重量の変化をコンデンサ電極間の静電容量の変化として検出することができる。
【００２６】
また、圧力センサ１０ｃを複数設けることにより、マット本体１０に乗った物体の移動方向を検知することができる。また、複数の圧力センサ１０ｃ同士を等間隔に配置することで、圧力を検出した圧力センサ１０ｃの識別番号及び検出時刻に基づいて物体の移動方向を容易に判別することができる。
なお、圧力センサー１０ｃは、外部からの電力の供給なしでマット本体１０の上に物が乗ったことを検知できるものであれば、上述した構成の圧力センサー１０ｃに限定されることはなく、任意の公知のセンサーを使用することができる。
【００２７】
マット本体１０の一方の短辺の所定箇所には、音出力装置２０が取り付けられている。なお、当該音出力装置２０は、出入口３２、３４に設けられた開閉扉の開閉方向等に応じて取付位置を変更できるように、マット本体１０に脱着可能に構成してもよい。
音出力装置２０は、スピーカ２２、制御部（不図示）等を備えている。当該音出力装置２０は、マット本体１０内に配置されている圧力センサー１０ｃと有線又は無線で電気的に接続されている。音出力装置２０の制御部等は、略直方体形状の筐体２４で覆われている。当該筐体２４はプラスチック、紙等で形成されている。
【００２８】
音出力装置２０の側方には、録音媒体を収容する録音媒体収容部（不図示）が設けられている。本実施形態では、記録媒体はＳＤカードであり、録音媒体収容部はＳＤカードスロットである。録音媒体をＳＤカードとすることで、音出力装置２０の録音媒体収容部に収容される記録媒体を差し替えたり、当該記録媒体に記録される音データを容易に書き換えたり、ロック機能により音データの安全性を確保することができる。
【００２９】
音出力装置２０は、録音媒体収容部に収容された記録媒体に記録された音データを読み取り、当該音データに基づいて音を再生し、当該音をスピーカ２２から出力する。当該音は、ＭＲ室に人が入室しようとする際に注意を喚起するための音であり、例えば、「入室時には携帯品を確認しましょう。」、「ＭＲ室に磁性体を持ち込まないでください。」、「この部屋には強い磁場が発生しています。」等の音声が考えられる。なお、音は、音声でなく警報音であってもよい。
音出力装置２０は、圧力の検知を契機に圧力センサー１０ｃから検出信号を受信すると、記録媒体に記録された音データに基づいて音をスピーカ２２から出力する。
【００３０】
音出力装置２０の底部には、電池を収容する電池収容部（不図示）が設けられており、当該電池収容部に収容された電池から供給される電力により音を出力する。本実施形態に係る電池は、市販されている小型の乾電池である。なお、電池は乾電池に限らず、例えば充電池であってもよい。
このように電池を電源とすることにより、外部から電力を供給するためのコンセントやケーブルをマット装置１に設ける必要がない。また、マット装置１を敷設する場所の近傍にコンセントの差込口がなくても、電源工事等をすることなくマット装置１を敷設することができる。
【００３１】
また、音出力装置２０は、圧力センサー１０ｃから受信した検出信号、識別番号及び受信タイミングに基づいて、マット本体１０における圧力が検出された位置と時刻を解析し、物体のマット本体１０上の移動方向を解析する。そして、マット本体１０上の物体がＭＲ室の方向に移動したと判断された場合にのみ音を出力する。
これにより、人や物がＭＲ室へ入室しようとしている場合にのみ、ＭＲ室へ入室する際の注意を喚起するアナウンス等の音を出力することができる。
【００３２】
なお、音出力装置２０自体が、録音媒体収容部に収容された記録媒体に音を録音する機能を備えていてもよい。
【００３３】
以上説明したように、特別な工事をすることなく、ＭＲ室の出入口３２、３４にマット装置１を敷いておくことで、被験者、医療機器を運んでいる看護師、医師等が、ＭＲ室に入室しようとしてマット装置１に乗ったり医療機器がマット装置１上に乗ることで、マット装置１は音を出力するため、手軽に注意を喚起することが可能となる。
音で注意を喚起するため、ＭＲ室に入室しようとしている人のみならず、ＭＲ室や操作室にいる医師や看護師の注意も喚起することができる。
【００３４】
また、音出力装置２０に録音媒体収容部を設け、当該録音媒体収容部に録音媒体を収容可能とすることで、録音媒体収容部に収容する記録媒体や、当該記録媒体に記録される音データを容易に差し替え・書き換えすることができ、状況に合わせて音を変更することができる。
また、音を出力するための電力を供給する電源を電池とし、また、外部から電力を供給しなくても電圧センサー１０ｃが動作するようにしたため、マット装置１に外部から電力を供給するためのコンセントやケーブルを設ける必要がない。また、近傍にコンセントの差込口がない場所であっても、マット装置１を手軽に敷設することができる。
【００３５】
また、音出力装置２０は、マット本体１０に乗った物体がＭＲ室の方向に移動したことが検知された場合にのみ音を出力するため、ＭＲ室に入室しようとしている人や物がある場合にのみ、音で注意を喚起することができる。
【００３６】
なお、物体の移動方向を検知せずに、マット本体１０に物体が乗ったことを検知した場合に一律に音を出力するようにしてもよい。
或いは、ＭＲ室に入室する場合と退出する場合それぞれに対応する音声データが録音された記録媒体が収容された２種類の音出力装置２０をマット本体１０に取り付け、物体がＭＲ室に入室しようとする場合と退出しようとする場合で異なる音が出力されるようにしてもよい。
【符号の説明】
【００３７】
１        マット装置
１０      マット本体
１０ａ    表シート
１０ａ１  ターボリンシート
１０ａ２  塩化ビニル
１０ａ３  ゴム
１０ｂ    裏シート
１０ｃ    圧力センサー
２０      音出力装置
２２      スピーカ
３２      出入口
３４      出入口
【図１】
0003216667.tif 000003
【図２】
0003216667.tif 000004
【図３】
0003216667.tif 000005